(57)【要約】【課題】停電時にＲＴＣ等の負荷に対して電力供給が維持されているか否かの判断が容易に行えるようにし、ひいては誤操作や無駄作業等の発生を防止する。【解決手段】電力供給を受けて動作する負荷と、前記負荷に電力供給する主電源と、電力供給を受けて動作し、ユーザに対して所定の報知情報を報知する報知部と、前記主電源から前記負荷への電力供給が停止した場合に、該負荷に電力供給するとともに前記報知部に電力供給する補助電源と、前記主電源から負荷への電力供給時に、該主電源と前記補助電源との間の通電をオンにして且つ該補助電源と前記負荷及び報知部との間の通電をオフにする第１の通電状態と、前記主電源から負荷への電力供給停止時に、該主電源と前記補助電源との間の通電をオフにして且つ該補助電源と前記負荷及び報知部との間の通電をオンにする第２の通電状態とを切り替える切替部とを備える。【選択図】図２
2008170066.tif 000002
【特許請求の範囲】
【請求項１】
電力供給を受けて動作する負荷と、前記負荷に電力供給する主電源と、電力供給を受けて動作し、ユーザに対して所定の報知情報を報知する報知部と、前記主電源から前記負荷への電力供給が停止した場合に、該負荷に電力供給するとともに前記報知部に電力供給する補助電源と、前記主電源から負荷への電力供給時に、該主電源と前記補助電源との間の通電をオンにして且つ該補助電源と前記負荷及び報知部との間の通電をオフにする第１の通電状態と、前記主電源から負荷への電力供給停止時に、該主電源と前記補助電源との間の通電をオフにして且つ該補助電源と前記負荷及び報知部との間の通電をオンにする第２の通電状態とを切り替える切替部とを備えることを特徴とする報知システム。
【請求項２】
前記切替部は、前記主電源から供給される電力によって動作するマイクロコンピュータであって、該主電源から電力が供給されている間は前記第１の通電状態を維持し、該主電源からの電力供給が停止されて該マイクロコンピュータの動作が停止した時点で前記第２の通電状態にすることを特徴とする請求項１に記載の報知システム。
【請求項３】
前記報知部は、前記補助電源から電力供給されているときに点灯する点灯器であることを特徴とする請求項１又は２に記載の報知システム。
【請求項４】
前記報知部は、前記補助電源からの電力供給に応じて前記報知情報を音声によって出力する音声出力器であることを特徴とする請求項１〜３のいずれかに記載の報知システム。
【発明の詳細な説明】
【技術分野】
【０００１】
本発明は、空調設備等のリモコンなどにおいて、バックアップ機能の作動に関する報知情報をユーザに対して報知する報知システムに関するものである。
【背景技術】
【０００２】
従来、空調設備等のリモートコントロール装置（リモコンという）などには、時計専用のチップすなわちＲＴＣ（Real Time Clock）が内蔵されている（例えば特許文献１参照）。ＲＴＣは、他のチップと違って、停電時における電力供給のバックアップ（電源補償）がなされる、すなわち、メイン電源が切られている間も内蔵電池等のバックアップ電源から電源供給を受けて動作するようになっている（電源が入っている間は外部電源から供給を受ける）。例えばリモコンの制御部（例えばＯＳ；Operating System）等は、稼働日時を特定するべく起動時にＲＴＣから日時を取得する必要があり、そのためにも当該バックアップ機能が備えられている。
【特許文献１】特開２００５−４９０３９号公報
【発明の開示】
【発明が解決しようとする課題】
【０００３】
しかしながら、停電時に上記ＲＴＣのバックアップ機能が実際に作動しているか否か、すなわち停電によってＲＴＣの計時動作が停止した状態であるのか否かを、外見から判断することは困難であった。そのため、停電回復時等に、ユーザやメンテナンス者が、ＲＴＣの計時動作が停止しているか否かを調査しなくてはならない、或いは実際には計時動作が維持されているにも拘わらず、時間設定をし直す（時計をリセットする）といった誤操作や無駄作業が発生してしまう。
【０００４】
本発明は上記事情に鑑みてなされたもので、停電時にＲＴＣ等の負荷に対して電力供給が維持されているか否かの判断を容易に行うことができ、ひいては誤操作や無駄作業等の発生を防止することができる操作性の良い報知システムを提供することを目的とする。
【課題を解決するための手段】
【０００５】
本発明に係る報知システムは、電力供給を受けて動作する負荷と、前記負荷に電力供給する主電源と、電力供給を受けて動作し、ユーザに対して所定の報知情報を報知する報知部と、前記主電源から前記負荷への電力供給が停止した場合に、該負荷に電力供給するとともに前記報知部に電力供給する補助電源と、前記主電源から負荷への電力供給時に、該主電源と前記補助電源との間の通電をオンにして且つ該補助電源と前記負荷及び報知部との間の通電をオフにする第１の通電状態と、前記主電源から負荷への電力供給停止時に、該主電源と前記補助電源との間の通電をオフにして且つ該補助電源と前記負荷及び報知部との間の通電をオンにする第２の通電状態とを切り替える切替部とを備えることを特徴とする。
【０００６】
上記構成によれば、主電源が、負荷に電力供給するものとされ、補助電源が、主電源から負荷への電力供給が停止した場合に、該負荷に電力供給するとともに、ユーザに対して所定の報知情報を報知する報知部に電力供給するものとされ、切替部によって、主電源から負荷への電力供給時に、主電源と補助電源との間の通電をオンにして且つ補助電源と負荷及び報知部との間の通電をオフにする第１の通電状態と、主電源から負荷への電力供給停止時に、主電源と補助電源との間の通電をオフにして且つ補助電源と負荷及び報知部との間の通電をオンにする第２の通電状態とが切り替えられる。
【０００７】
また、上記構成において、前記切替部は、前記主電源から供給される電力によって動作するマイクロコンピュータであって、該主電源から電力が供給されている間は前記第１の通電状態を維持し、該主電源からの電力供給が停止されて該マイクロコンピュータの動作が停止した時点で前記第２の通電状態にすることが好ましい。
【０００８】
これによれば、切替部が、主電源から供給される電力によって動作するマイクロコンピュータとされ、この切替部としてのマイクロコンピュータによって、主電源から電力が供給されている間は第１の通電状態が維持され、主電源からの電力供給が停止されてマイクロコンピュータの動作が停止した時点で第２の通電状態にされる。
【０００９】
また、上記構成において、前記報知部は、前記補助電源から電力供給されているときに点灯する点灯器であることが好ましい。
【００１０】
これによれば、報知部が、補助電源から電力供給されているときに点灯する点灯器とされる。
【００１１】
また、上記構成において、前記報知部は、前記補助電源からの電力供給に応じて前記報知情報を音声によって出力する音声出力器であることが好ましい。
【００１２】
これによれば、報知部が、補助電源からの電力供給に応じて報知情報を音声によって出力する音声出力器とされる。
【発明の効果】
【００１３】
請求項１記載の発明によれば、主電源から負荷への電力供給停止時に、主電源と補助電源との間の通電をオフにして且つ補助電源と負荷及び報知部との間の通電をオンにする第２の通電状態とされる、すなわち補助電源から負荷への電力供給が維持されるとともに、報知部にも電力供給されてユーザに対する所定の報知情報の報知が行われるので、停電時にＲＴＣ等の負荷に対して電力供給が維持されているか否かの判断を容易に行うことができ、ひいては誤操作や無駄作業等の発生を防止することができる。なお、当該切替部によって第１の通電状態と第２の通電状態とが切り替えられる構成により、主電源から負荷へ電力供給される状態から、主電源から負荷及び報知部へ電力供給される状態への切り替えを、容易に且つ確実に行うことが可能となる。
【００１４】
請求項２記載の発明によれば、電力供給を受けてマイクロコンピュータが動作しているときは第１の通電状態が維持され、マイクロコンピュータに対して電力供給が停止されて該マイクロコンピュータの動作が停止した時点で第２の通電状態になる構成であるので、第１及び第２の通信状態の切り替えをマイクロコンピュータ（マイクロコンピュータの駆動、非駆動の状態変化）を利用して容易に実現できる。換言すれば、マイクロコンピュータの生死に連動させることで、該マイクロコンピュータに電力供給されなくなると自動的に第２の通信状態に移行させることができるので、停電時に確実に負荷及び報知部へ電力供給することができ、ひいては確実に上記ＲＴＣ等の負荷に対して電力供給が維持されているか否かの判断を行うことができる。また、マイクロコンピュータに当該切り替え機能を兼用させることができるので、報知システムのシステム構成が簡易なものとなる。
【００１５】
請求項３記載の発明によれば、報知部が、補助電源から電力供給されているときに点灯する点灯器とされるので、負荷に補助電源から電力が供給されていること（報知情報）をＬＥＤ等の点灯器を用いて容易に報知することができる。
【００１６】
請求項４記載の発明によれば、報知部が、補助電源からの電力供給に応じて報知情報を音声によって出力する音声出力器とされるので、負荷に補助電源から電力が供給されていること（報知情報）をスピーカ等の音声出力器を用いて容易に報知することができる。
【発明を実施するための最良の形態】
【００１７】
図１及び図２は、本発明の一実施形態に係る報知システム１のブロック構成図である。報知システム１は、例えば、空調機器（設備）等を制御するリモコン（リモートコントロール装置）に内蔵されている。この報知システム１は、主電源２、第１電源回路３、負荷４、点灯器５、第２電源回路６、第１スイッチ７、第２スイッチ８及びマイコン９を備えている。
【００１８】
主電源２は、報知システム１に電力供給を行う電源（メイン電源；外部電源）である。ここでは主電源２は、第１電源回路３に電気的に接続されており、通常時においてこの第１電源回路３に対して電力供給を行う。
【００１９】
第１電源回路３は、主電源２からの電力供給を受けて、負荷４、第２電源回路６及びマイコン９に電力供給を行うもの（電源回路）である。第１電源回路３は、電気的に、負荷４と直接接続されており、また、第１スイッチ７を介して第２電源回路６と接続されている。
【００２０】
負荷４は、電力供給を受けて所定の動作を行うものであり、例えば上記リモコンに内蔵されている時計、例えばＲＴＣ（Real Time Clock）である。このＲＴＣは、例えばリモコン内のマザーボードすなわちＰ板（プリント基板）上に実装されている計時専用のチップである。
【００２１】
点灯器５は、電力供給を受けて点灯するものであり、例えばＬＥＤ（Light Emitting Diode）等の発光素子や電球等である。要は、電力供給を受けて光を発するものであればよい。ここではＬＥＤとする。このＬＥＤは、例えば上記Ｐ板上の所定位置に実装されている。そして、例えばこのＰ板を覆う蓋部材（例えばリモコンの筐体）に設けられた開口部（貫通穴）から、当該ＬＥＤの点灯、非点灯状態がユーザやメンテナンス者（以降、纏めてユーザという）によって視認されるようになっている。
【００２２】
なお、負荷４及び点灯器５は、第２電源回路６と図１、２に示すような配線関係とされているので、すなわち、第２電源回路６と負荷４、第２電源回路６と点灯器５とが別々の配線によって接続されて且つ通電、非通電が別々の（２つの）第２スイッチ８によって切り替えられるのではなく、１つの第２スイッチ８（負荷４及び点灯器５と第２電源回路６との間の１本の配線）を用いて切り替えられるので、第２電源回路６から負荷４に電力供給されているときには確実に点灯器５も点灯する、すなわち点灯器５への電力供給が維持されていることを確実に報知することができる。
【００２３】
第２電源回路６は、負荷４及び点灯器５に電力供給するものである。第２電源回路６は、充電及び放電が可能な例えば電池（充電電池）或いはコンデンサ（容量の大きなコンデンサ）からなる、所謂バックアップ電源回路である。第２電源回路６は、第１スイッチ７を介して、第１電源回路３及び負荷４と電気的に接続されている。第２電源回路６は、第１電源回路３からの電力供給を受けて充電されるとともに、当該第１電源回路３からの電力供給停止時に、負荷４及び点灯器５に対して放電することでこれら負荷４及び点灯器５に電力供給を行う。
【００２４】
第１スイッチ７は、第１電源回路３と第２電源回路６との間の通電、非通電（オン、オフ）の切り替えを行う切替スイッチである。第２スイッチ８は、第２電源回路６と負荷４及び点灯器５との間の通電、非通電の切り替えを行う切替スイッチである。第１及び第２スイッチ７、８は、例えばスイッチングトランジスタである。
【００２５】
マイコン９は、各制御プログラム等を記憶するＲＯＭ（Read Only Memory）、一時的に各種データを格納するＲＡＭ（Random Access Memory）、及び制御プログラム等をＲＯＭから読み出して実行する中央演算処理装置（ＣＰＵ；Central Processing Unit）等からなり、報知システム１の動作制御を司るもの（マイクロコンピュータ）である。マイコン９は、第１電源回路３からの電力供給を受けて動作する。
【００２６】
ところで、図１は、通常時（通常運転時）における報知システム１の動作状態を示すものである。図２は、停電時、すなわち主電源２から第１電源回路３への電力供給が停止したときの動作状態を示すものである。具体的には、図１に示すように通常時には、第１スイッチ７がオンされて第１電源回路３と第２電源回路６との間が通電され（このとき第２電源回路６は第１電源回路３からの電力供給を受けて充電される）、且つ第２スイッチ８がオフされて第２電源回路６と負荷４及び点灯器５との間が非通電にされる。この状態を第１の通電状態という。一方、図２に示すように停電時には、第１スイッチ７がオフされて第１電源回路３と第２電源回路６との間が非通電とされ、且つ第２スイッチ８がオンされて第２電源回路６と負荷４及び点灯器５との間が通電される。この状態を第２の通電状態という。
【００２７】
マイコン９は、この第１の通電状態と第２の通電状態との切り替えを行う。ただし、マイコン９による当該第１の通電状態と第２の通電状態との切り替えは、第１電源回路３から電力供給を受けて駆動（作動）しているか、或いは停電により第１電源回路３からの電力供給が停止されて駆動していないかに応じて、すなわちマイコン９自身の生死（駆動状態）に連動させることで行われる。マイコン９が駆動しているときには、第１スイッチ７がオンとなるとともに第２スイッチ８がオフとなっている。マイコン９の駆動が停止すると（マイコン９によるプログラム制御に依らず）、第１スイッチ７がオフされるとともに第２スイッチ８がオンとなる。換言すれば、マイコン９は、主電源２から電力が供給されている間は第１の通電状態を維持し、主電源２からの電力供給が停止されて自身の動作が停止された時点で謂わば自動的に第２の通電状態に切り替える。
【００２８】
なお、図２に示すように、第２の通電状態に切り替えられるときには、第１スイッチ７がオフされるので、電池やコンデンサ（第２電源回路６）から配線ラインＬ１を経た負荷４への放電或いは第１電源回路３への放電が防止され、確実に負荷４及び点灯部５への放電が行われる。
【００２９】
図３は、本実施形態における報知システム１による報知動作に関するフローチャートである。先ず通常時において、第１スイッチ７がオンされて且つ第２スイッチ８がオフされた第１の通電状態において、主電源２から第１電源回路３を介して、負荷４（ＲＴＣ）に電力供給されるとともに、第２電源回路６（補助電源）に電力供給されて第２電源回路６の充電が行われる（ステップＳ１）。停電が発生した場合、すなわち主電源２から第１電源回路３への電力供給が停止した場合（ステップＳ２のＹＥＳ）、マイコン９への電力供給が停止されてマイコン９の駆動も停止する。停電が発生しない場合にはそのままステップＳ１における第１の通電状態が維持される（ステップＳ２のＮＯ）。このマイコン９の駆動停止に連動して、第１スイッチ７及び第２スイッチ８それぞれのオン、オフが切り替えられる。すなわち、第１スイッチ７がオフされて且つ第２スイッチ８がオンされる（ステップＳ３）。このスイッチの切り替えにより、上記第１の通電状態から第２の通電状態へと移行される、すなわち第２電源回路６から負荷４及び点灯器５への電力供給が行われ、負荷４に対する電力供給が維持されるとともに、点灯器５（ＬＥＤ）が点灯する（ステップＳ４）。停電が回復しない間は、当該ステップＳ４の第２の通電状態が維持される（ステップＳ５のＮＯ）。停電が回復した場合には（ステップＳ５のＹＥＳ）、すなわち主電源２から第１電源回路３を介したマイコン９への電力供給が行われるようになると、第１スイッチ７がオンされて且つ第２スイッチ８がオフされて第１の通電状態に復帰され（ステップＳ６）、通常時のステップＳ１へ戻る。
【００３０】
以上のように本実施形態に係る報知システム１によれば、主電源２が、負荷４に電力供給するものとされ、第２電源回路６（補助電源）が、主電源２から（第１電源回路３を介して）負荷４への電力供給が停止した場合に、該負荷４に電力供給するとともに、ユーザに対して所定の報知情報を報知する点灯部５（報知部）に電力供給するものとされ、マイコン９（切替部）によって、主電源２から負荷４への電力供給時に、主電源２と第２電源回路６との間の通電をオンにして且つ第２電源回路６と負荷４及び点灯部５との間の通電をオフにする第１の通電状態と、主電源２から負荷４への電力供給停止時に、主電源２と第２電源回路６との間の通電をオフにして且つ第２電源回路６と負荷４及び点灯部５との間の通電をオンにする第２の通電状態とが切り替えられる。
【００３１】
このように、主電源２から負荷４への電力供給停止時に、主電源２と第２電源回路６との間の通電をオフにして且つ第２電源回路６と負荷４及び点灯部５との間の通電をオンにする第２の通電状態とされる、すなわち第２電源回路６から負荷４への電力供給が維持されるとともに、点灯部５にも電力供給されてユーザに対する所定の報知情報の報知が行われるので、停電時にＲＴＣ等の負荷４に対して電力供給が維持されているか否かの判断を容易に行うことができ、ひいては誤操作や無駄作業等の発生を防止することができる。なお、マイコン９（上記切替部）によって第１の通電状態と第２の通電状態とが切り替えられる構成により、主電源２から負荷４へ電力供給される状態から、主電源２から負荷４及び点灯部５へ電力供給される状態への切り替えを、容易に且つ確実に行うことが可能となる。
【００３２】
また、上述のように、主電源２から供給される電力によって動作するマイコン９（マイクロコンピュータ）が、上記第１の通電状態と第２の通電状態との切り替えを行うものとして用いられる構成とされ、主電源２から電力が供給されている間は第１の通電状態を維持し、主電源２からの電力供給が停止されてマイコン９の駆動が停止した時点で第２の通電状態にされるので、すなわち、電力供給を受けてマイコン９が動作（作動）しているときは第１の通電状態が維持され、マイコン９に対して電力供給が停止されて該マイコン９の動作が停止した時点で第２の通電状態になる構成であるので、第１及び第２の通電状態の切り替えをマイコン９（マイコン９の駆動、非駆動の状態変化）を利用して容易に実現できる。
【００３３】
換言すれば、第１及び第２の通電状態の切り替えをマイコン９の生死に連動させることができる、すなわちマイコン９に電力供給（通電）されなくなると自動的に且つ確実に第２の通電状態に移行することができる。これにより、停電時に確実に負荷４及び点灯部５へ電力供給することができ、ユーザがこの点灯部５の点灯を視認するなどにより、ひいては確実に負荷４に対して電力供給が維持されているか否かの判断を行うことができる。また、マイコン９に当該切り替え機能を兼用させることができるので、報知システム１のシステム構成が簡易なものとなる。
【００３４】
また、上記報知部が、第２電源回路６から電力供給されているときに点灯する点灯器５（ＬＥＤ）とされるので、負荷４に第２電源回路６から電力が供給されていること（報知情報）をＬＥＤを用いて容易に報知することができる。なお、本発明の趣旨を逸脱しない範囲において各種構成の追加、変更を伴うことが可能であり、例えば次のような変形態様を取ることができる。
【００３５】
（Ａ）上記実施形態では、報知情報を報知する手段（報知部）として点灯器５を例に挙げているが、例えばこの報知手段を、第２電源回路６からの電力供給に応じて報知情報を音声によって出力する音声出力器、例えばスピーカとしてもよい。これにより、負荷４に第２電源回路６から電力が供給されていること（報知情報）を、当該スピーカ等の音声出力器を用いて、例えば「ＲＴＣに対するバックアップ機能が作動中です」などと、容易に報知することができる。
【００３６】
（Ｂ）上記実施形態では、Ｐ板を覆う蓋部材に設けられた開口部から、当該ＬＥＤの点灯、非点灯状態がユーザによって視認される構成としているが、これに限らず、例えば蓋部材には開口部を設けず（蓋部材が閉じられているときには外からは視認できない）、停電時に、バックアップ機能が作動しているか否かを確かめるべくユーザがこの蓋部材を開いてリモコン内を確認しようとする際に、ＬＥＤの点灯の有無が視認できるような構成としてもよい。
【００３７】
（Ｃ）点灯部５はＬＥＤでなくともよく、例えばリモコンのモニタ（液晶表示パネル）等の所定位置を点灯表示させるものであってもよい。また、点灯部５は、常時点灯するものでなくともよく、点滅するものでもよい。要は、光を発することで報知するものであれば何れのものでも構わない。
【図面の簡単な説明】
【００３８】
【図１】本発明の一実施形態に係る報知システムのブロック構成図であり、通常時の動作状態を説明する図である。
【図２】本発明の一実施形態に係る報知システムのブロック構成図であり、停電時の動作状態を説明する図である。
【図３】上記報知システムによる報知動作に関するフローチャートである。
【符号の説明】
【００３９】
１  報知システム
２  主電源
３  第１電源回路
４  負荷
５  点灯器（報知部）
６  第２電源回路（補助電源）
７  第１スイッチ
８  第２スイッチ
９  マイコン（マイクロコンピュータ、切替部）
【図１】
2008170066.tif 000003
【図２】
2008170066.tif 000004
【図３】
2008170066.tif 000005